(57)【要約】【課題】部材間の取付強度を確保しつつ、操作が出来るだけ簡便で、かつ部材の移動や変更に自由度を有する汎用性のある取付構造及びその取付構造を採用したラックを提供すること。【解決手段】取付部材３は、先端近傍に形成若しくは取り付けられて被取付部材２ｂ１に係止可能な折曲部１９ａを有するフック部１９を有し、折曲部１９ａの折り曲げ側に配される被取付部材２ｂ１と取付部材本体側との間に可動可能な固定部材５が設けられ、固定部材５は、フック部１９に設けられた昇降調整可能な昇降調整部材１０に固定され、昇降調整部材１０の調整により固定部材５が昇降して前記フック部１９の折曲部１９ａに係止された被取付部材２ｂ１を押圧狭持して取付部材３と被取付部材２ｂ１との部材間の取付を行う。【選択図】          図１
2004332771.tif 000002
【特許請求の範囲】
【請求項１】
取付部材を被取付部材に取付を行う部材間の取付構造であって、
前記取付部材は、先端近傍に形成若しくは取り付けられて前記被取付部材に係止可能な折曲部を有するフック部と、前記折曲部の折り曲げ側に配される被取付部材と前記取付部材本体側との間に可動可能な固定部材を設け、前記固定部材は、前記フック部に設けられた昇降調整可能な昇降調整部材に固定されてなり、
前記昇降調整部材の調整により前記固定部材が昇降して前記フック部の折り曲げ部に係止された被取付部材を押圧狭持して前記取付部材と前記被取付部材との部材間の取付を行うことを特徴とする取付構造。
【請求項２】
前記取付部材の取付基準面に取付固定部材により前記フック部の取付面を取付固定し、該取付面から伸長して前記取付部材の取付基準面とは反対側の面側に向かって起立させて前記被取付部材に係止可能な折曲部を形成して該折曲部の先端部が前記取付基準面側へのはみ出しを規制する構成としたことを特徴とする請求項１記載の取り付け構造。
【請求項３】
前記固定部材は、円柱状又は多面体からなることを特徴とする請求項１又は請求項２に記載の取付構造。
【請求項４】
前記フック部の折曲部の上面と前記取付部材の取付基準面のなす角は、斜度θの関係を有することを特徴とする請求項２又は請求項３に記載の取付構造。
【請求項５】
支柱と，前記支柱間に掛け渡された複数の横桟とを有する支持部を左右設け、これら左右に設けられた支持部間に複数の棚板を載置固定して構成されるラックにおいて、
前記棚板は、先端近傍に形成若しくは取り付けられて前記横桟に係止可能な折曲部を有するフック部と、前記折曲部の折り曲げ側に配される横桟と前記棚板本体側との間に可動可能な固定部材を設け、前記固定部材は、前記フック部に設けられた昇降調整可能な昇降調整部材に固定されてなり、
前記昇降調整部材の調整により前記固定部材が昇降して前記フック部の折り曲げ部に係止された横桟を押圧狭持して前記棚板と前記横桟との部材間の取付を行うことを特徴とするラック。
【発明の詳細な説明】
【０００１】
【発明の属する技術分野】
本発明は、フレームの組み合わせで構成される構造体などの部材間の取付構造において、簡便な操作で部材間の結合強度を確保できる取付構造とその取付構造を採用したラックに関する。
【０００２】
【従来の技術】
直交フレームの組合せで構成される構造体において、新たにフレームや平面部分を追加・取付する場合、溶接等の永久結合による方法や、各部材同士取付穴等をあけ、ボルト、ねじ等の締結具を用いて直接結合する方法、前記部材に予め準備された突起物や挿入穴に対して取付部材の一部分を嵌め込みまたは差込み・固定する等の方法（特許文献１に係る図４及び図５参照）、更に、フレーム上に載置するだけで固定しない方法も採用されている。
【０００３】
図１０は従来のラックの形状を示した斜視図及び棚板の取付構造を示す部分拡大図である。ラック１０１は、２本の支柱１０２ａと、その間を上下２箇所を連結し強度材の役割を果たす横桟１０２ｂ２、棚板を載置する為２本の支柱間を連結する５本の横桟１０２ｂ１とからなる左右２面の側枠１０２と、該側枠の後部支柱間を交差して連結固定する強度材としての２本のクロスバー１０４、前記棚板用横桟１０２ｂ１上に載置される３枚の棚板１０３とから構成されている。
【０００４】
図１０に係る部分拡大図に示すように、従来の棚板の取付構造は、棚板１０３の両端近傍に取付けられたフック１０９が、側枠１０２の支柱１０２ａ間を連結する棚板用横桟１０２ｂ１に係止可能なように折曲部１０９ａを持ち、左右の側枠の対応する棚板用横桟上に載置・使用するものである。図１０に係るラックにおいては、棚板１０３は棚板用横桟１０２ｂ１には固定されず、載置するのみであって、５箇所の棚板用横桟のうち任意の位置に載置可能である（特許文献２に係る図３参照）。
【０００５】
【特許文献１】
特公平８−１５４７４９号公報（図４及び図５）
【特許文献２】
登録実用新案第３０７２８８２号公報（図３）
【０００６】
【発明が解決しようとする課題】
しかしながら、従来のラックの取付構造においては、棚板の位置交換は容易であるが、ラック本体には固定されていない為、前記横桟と前記フック部との間の隙間や支柱とフック部との隙間等により、位置が不安定となり、振動やその他の外力に対し容易に動いてしまう場合があった。また、強度を確保する為に最上部の棚板を支柱または強度材としての横桟に固定し、天井板として使用するラック構造が多く見られる。しかしながら、この構造であると、独立したラックを並べて配置し、その間を連結して一連のラックとして使用したり、ラックの片側に１面の側枠と棚板とを追加して２連のラックを構成する等の機能的発展性が損なわれるおそれもある。
【０００７】
そこで、本発明は、上記のような課題を解決するためになされたものであって、部材間の取付強度を確保しつつ、操作が出来るだけ簡便で、かつ部材の移動や変更に自由度を有する汎用性のある取付構造及びその取付構造を採用したラックを提供することを目的とするものである。
【０００８】
【課題を解決するための手段】
本発明は、取付部材を被取付部材に取付を行う部材間の取付構造であって、前記取付部材は、先端近傍に形成若しくは取り付けられて前記被取付部材に係止可能な折曲部を有するフック部と、前記折曲部の折り曲げ側に配される被取付部材と前記取付部材本体側との間に可動可能な固定部材を設け、前記固定部材は、前記フック部に設けられた昇降調整可能な昇降調整部材に固定されてなり、前記昇降調整部材の調整により前記固定部材が昇降して前記フック部の折り曲げ部に係止された被取付部材を押圧狭持して前記取付部材と前記被取付部材との部材間の取付を行うことを特徴とする。
【０００９】
本発明は、前記取付部材の取付基準面に取付固定部材により前記フック部の取付面を取付固定し、該取付面から伸長して前記取付部材の取付基準面とは反対側の面側に向かって起立させて前記被取付部材に係止可能な折曲部を形成して該折曲部の先端部が前記取付基準面側へのはみ出しを規制する構成としたことを特徴とする。
【００１０】
本発明による前記固定部材は、円柱状又は多面体からなることを特徴とする。
【００１１】
本発明による前記フック部の折曲部の上面と前記取付部材の取付基準面のなす角は、斜度θの関係を有することを特徴とする。
【００１２】
本発明は、支柱と，前記支柱間に掛け渡された複数の横桟とを有する支持部を左右設け、これら左右に設けられた支持部間に複数の棚板を載置固定して構成されるラックにおいて、前記棚板は、先端近傍に形成若しくは取り付けられて前記横桟に係止可能な折曲部を有するフック部と、前記折曲部の折り曲げ側に配される横桟と前記棚板本体側との間に可動可能な固定部材を設け、前記固定部材は、前記フック部に設けられた昇降調整可能な昇降調整部材に固定されてなり、前記昇降調整部材の調整により前記固定部材が昇降して前記フック部の折り曲げ部に係止された横桟を押圧狭持して前記棚板と前記横桟との部材間の取付を行うことを特徴とする。
【００１３】
【発明の実施の形態】
以下図面を参照して本発明による部材間の取付構造及び該取付構造を用いたラックの実施の形態について説明する。
【００１４】
まず、図１及び図２を参照して、本発明による部材間の取付構造及び該取付構造を用いたラックの第１の実施の形態について説明する。図１（ａ）は、本発明による部材間の取付構造を示す分解斜視図、図１（ｂ）は取付状態を示す斜視図、図２は図１の断面図である。
【００１５】
図１及び図２に示すように、取付部材３の先端近傍に取付ねじ１１により取付けられたフック部１９は、被取付部材２ｂ１に係止可能なように先端に折曲部１９ａを有し、折曲部と取付部材取付面１９ｃとの間に昇降調整部材取付用穴１９ｄを有する。可動可能な固定部材５は昇降調整部材１０に固定されており、昇降調整部材１０の調整で固定部材５が昇降し、被取付部材２ｂ１をフック折曲部１９ａと固定部材５とで押圧狭持し取付部材３を被取付部材２ｂ１に固定している。
【００１６】
昇降調整部材としては、カム機構や楔機構の適用も可能であり、本実施の形態においては、ねじ機構を採用している。
【００１７】
フック先端の折曲部１９ａは被取付部材２ｂ１の上半部形状に沿った形状とし、取付時の部材間のずれを少なくしている。１９ｆは折曲部１９ａと取付部材取付面１９ｃとの間の平坦部分、１９ｅは昇降調整ねじ取付用穴１９ｄ周囲の平坦部分を示している。昇降調整ねじ１０により、座金１２と前記２つの平坦部分１９ｅ及び１９ｆを介して固定部材５を締め付けることにより、取付部材３と被取付部材２ｂ１との固定を簡便・確実に行うことができる。
【００１８】
また、図２に示された取付部材３の取付基準面Ｂに対し、反対側の面に向かって起立させてフック折曲部１９ａを形成することにより、基準面Ｂとフック折曲部１９ａの上端面との段差分だけ、フック先端部１９ｂの前記取付部材３の基準面Ｂ側へのはみ出しを規制して、取付構造全体として、コンパクトな構成を採ることが可能である。
【００１９】
また、可動可能な固定部材５の形状に関しては、接触面において、線による固定を可能とするべく、円柱状の部材を本実施の形態においては採用している。また、円柱形状だけでなく、昇降により押圧狭持する力が発生する構造であればその断面形状は被取付部材の形状に合わせた多面体として、自由に選定することが可能であり、多面体であれば、面による固定も可能となる。
【００２０】
また、前記被取付部材を押圧狭持するに必要なのは固定部材の上半部形状であり、その下半部形状はフック部の取付部材基準面からのはみ出しを規制すべく、形状を自由に選定可能である。
【００２１】
また、本実施の形態においては、棚板３とフック部１９を別部材で構成しているが、適宜、棚板５とフック部１９を一体成形して、同部材として、構成を簡略化することも可能であり、棚板３に適宜、フック部となる凹部及びねじ穴１９ｄを形成して、棚板３にフック部１９の役割をも持たせることも可能である。
【００２２】
次に、図３を参照して、本発明による部材間の取付構造及び該取付構造を用いたラックの第２の実施の形態について説明する。なお、図１及び図２と実質的に同一の機能及び同一の構成を有するものについては、同じ符号を付して説明し、同一の部分についてはその説明を省略する。
【００２３】
図３（ａ）は図１の他の実施例を示す斜視図、図３（ｂ）は図３（ａ）の断面図であって、フック部６９の折曲部６９ａと取付部材取付面６９ｃとの間を斜面６９ｉによって構成している。
【００２４】
昇降調整ねじ１０により固定部材５が昇降して被取付部材２ｂ１を押圧狭持した状態では、調整ねじ１０による締付け力の前記斜面６９ｉから生じる分力の大きさだけ常に固定部材５が被取付部材２ｂ１を押圧している為、振動等の外乱に対しても安定した取付強度を確保することが可能となるばかりか、第１の実施の形態に係る取付構造と同様に、取付部材３の取付基準面Ｂに対し、反対側の面に向かってフックを把持する折曲部６９ａを形成することにより、基準面Ｂとフック折曲部６９ａの上端面との段差分だけ、取付構造の基準面Ｂ側へのはみ出しを規制して、コンパクトな構成を採ることが可能である。
【００２５】
次に、図４を参照して、本発明による部材間の取付構造及び該取付構造を用いたラックの第３の実施の形態について説明する。なお、図１乃至図３と実質的に同一の機能及び同一の構成を有するものについては、同じ符号を付して説明し、同一の部分についてはその説明を省略する。
【００２６】
図４は、第３の実施の形態に係るラックの斜視図及び棚板の取付構造を示す部分拡大図であって、左右の側枠５２を構成する各々２本の支柱５２ａの間を被取付部材である横桟５２ｂを水平面に対し斜度θで連結固定し、取付部材である棚板を１本の横桟に付き前後２枚、段差をつけて取付けたものである。
【００２７】
フック先端の折曲部５９ａは前記横桟５２ｂの形状に合わせて形成され、フック部５９の折曲部の上面５９ａ１とフック部５９の取付面５９ｃのなす角は、斜度θの関係を有するように形成されるものである。
【００２８】
即ち、折曲部の上面５９ａ１には、昇降調整ねじ取付用の平坦部５９ｅ、その隣接部分には図１（ｂ）の平坦部１９ｆに相当する平坦部５９ｆが形成され、昇降調整ねじ１０により固定部材５５が昇降し、横桟５２ｂを折曲部５９ａと固定部材５５とで押圧狭持している。平坦部５９ｆ及び平坦部５９ｅと取付面５９ｃの間には立下り部分５９ｇが形成され、斜度θを持つ横桟５２ｂに対して棚板５３を水平に保つため、前記立下り部分５９ｇに隣接して前記折曲部５９ａの上面５９ａ１に対して取付面５９ｃが斜度θをなすべく形成されている。
【００２９】
フック部５９は取付ねじ１１により該取付面５９ｃを介して取り付け部材としての棚板５３に固定されている。さらに、斜度θを持った横桟５２ｂ上で荷重を受けた棚板が下方に動くことのない様に、固定部材５５の長さを調整し、下方となる支柱５２ａ及び隣接下方の固定部材５５に接触する形状とすることにより、ずれ防止機能を持たせている。
また、本実施の形態においては、１本の横桟に対して棚板を２枚取り付けた例であるが、用途に応じて、フック部５９の数を増減させ、それに対応させて棚板の枚数を適宜、調節して使用することが可能である。
【００３０】
次に、図５乃至図７を参照して、本発明による部材間の取付構造及び該取付構造を用いたラックの第４の実施の形態について説明する。なお、図１乃至図４と実質的に同一の機能及び同一の構成を有するものについては、同じ符号を付して説明し、同一の部分についてはその説明を省略する。
【００３１】
図５は、第４の実施の形態に係るラックの斜視図及び部分拡大図、図６は図５のラックの棚板の取付前及び取付後の状態を示す斜視図、図７は図５の取付状態を（ａ）乃至（ｃ）の順に示す断面図であり、ラック１は、左右の側枠２と後面のクロスバー４及び３枚の棚板３とで構成されている。側枠２は２本の支柱２ａと、上下に位置する強度材としての側枠２ｂ２と、棚板用の被取付部材としての横桟２ｂ１とからなっている。
【００３２】
部材の取付構造としては、取付部材としての棚板３の先端にフック９が取付ねじ１１により固定され、フック部９の取付面９ｃの反対面には、固定具をフック部９から所定の距離離間させて固定するための凸部を有するストッパー１３が配されており、前記取付ねじ１１によりフック部９を介して棚板３に対して伴締めされ、フック部９の折曲部９ａを前記横桟２ｂ１に係止し、固定具昇降調整ねじ１０により固定具５を昇降して棚板３を横桟２ｂ１に固定している。
【００３３】
固定具昇降調整ねじ１０により固定具５を引き上げた場合においても、ストッパー１３によって、固定具５が、フック部９から離間した位置で固定されるため、固定具５を引き上げすぎた場合において、固定具５が横桟２ｂ１と反対側に逃げてしまうことが防止され、確実、かつ、強固に部材を取り付けることが可能となるものである。
【００３４】
以下に図７を使用して取付工程を説明する。図７（ａ）においては、棚板先端に２本の取付ねじ１１で固定されたフック９が先端に横桟２ｂ１の断面形状に合わせて折り曲げられた折曲部９ａを有し、取付部材取付面９ｃと該折曲部９ａとの間に固定具５を途中までねじ込まれた前記調整ねじ１０が取付けられている。また、フック９の取付面９ｃの反対面にストッパー１３が前記取付ねじ１１により伴締めされている。図７（ｂ）においては、この棚板３を横桟２ｂ１上に載置し、フック折曲部９ａが横桟２ｂ１と接触した状態で前記調整ねじ１０をねじ込み方向に回転することにより、固定具５を引上げることが可能である。図７（ｃ）では、ストッパー１３によって、固定具５が、フック部から離間した状態で固定され、固定具５が横桟３との反対方向に逃げてしまうことが防止されるため、ストッパー１３の凸部上に固定された固定具５とフック折曲部９ａとにより横桟２ｂ１が押圧狭持された状態となるものである。
【００３５】
次に、図８及び図９を参照して、本発明による部材間の取付構造及び該取付構造を用いたラックの第５の実施の形態について説明する。なお、図１乃至図７と実質的に同一の機能及び同一の構成を有するものについては、同じ符号を付して説明し、同一の部分についてはその説明を省略する。
【００３６】
図８は、２組のラックを棚板により連結・固定した１連のラックの斜視図、図９は、図８に係るラックの部分平面図及び取付構造を示す部分拡大図である。図８に示すように、本実施の形態は、図５で説明したラックを２組離して配置し、両ラック間を追加の棚板で連結・固定して１連のラックとしたものであって、棚板３３及び４３に各々固定される４個のフック３９及び４９を棚板の右端側と左端側とで位置をずらして配することにより、同一の横桟上に同時に左右から棚板を載置可能な構成としたものである。
【００３７】
図９の部分拡大斜視図に示すように、各々向き合った側枠の横桟３２ｂ１上にフック部２９ｃ固定位置を左右でずらした構造の棚板２３を載置・固定することにより、１連のラックを構成することができる。即ち、図９の取付構造を示す部分拡大図において、棚板２３に取付ねじ１１により固定されたフック部２９と棚板４３に取付ねじ１１により固定されたフック部４９とは、支柱４２ａに配された横桟４２ｂ１に互いに抵触しないように取付けられるものであって、各々のフック先端の折曲部２９ａ及び４９ａが共通の横桟４２ｂ１上に載置され、各固定具２５及び４５を各々の固定具昇降調整ねじ１０により昇降し、横桟４ｂ１を押圧狭持して、２台のラック（３１、４１）及び棚板２３からなる一連のラックを強固に連結可能とするものである。
【００３８】
【発明の効果】
以上説明したように、本発明による部材間の取付構造をラック棚板の取付部分に採用することにより、棚板の取付・取外しが簡便となり、線または面により接触可能な固定具の使用により締結の強度も確保が可能であって、ラックの強度材としての役割をも棚板が有することにより、ラック全体の剛性も上げることが可能である。
【図面の簡単な説明】
【図１】本発明に係る第１の実施の形態を示す図であって、（ａ）は、取付構造に係る分解斜視図、（ｂ）は、取付構造に係る斜視図である。
【図２】本発明に係る第１の実施の形態を示す図であって、取付構造の断面図である。
【図３】本発明に係る第２の実施の形態を示す図であって、（ａ）は、取付構造に係る斜視図、（ｂ）は、取付構造に係る断面図である。
【図４】本発明に係る第３の実施の形態を示す図であって、ラックの斜視図及び棚板の取付構造を示す部分拡大図である。
【図５】本発明に係る第４の実施の形態を示す図であって、ラックの斜視図及び棚板の取付構造を示す部分拡大図である。
【図６】本発明に係る第４の実施の形態を示す図であって、（ａ）は棚板の取付前、（ｂ）は取付後の状態を示す斜視図である。
【図７】本発明に係る第４の実施の形態を示す図であって、（ａ）乃至（ｃ）の順に棚板の取付工程を示す取付構造の断面図である。
【図８】本発明に係る第５の実施の形態を示す図であって、２組のラックを棚板により連結・固定した１連のラックの斜視図である。
【図９】図８に係るラックの部分平面図及び取付構造を示す部分拡大図である。
【図１０】従来のラックの斜視図及び棚板の取付構造を示す部分拡大図である。
【符号の説明】
１            ラック
２            側枠
２ａ          支柱
２ｂ１        横桟
２ｂ２        横桟
３            棚板
４            クロスバー
５            固定具
９            フック部
９ａ          折曲部
９ｃ          取付け面
９ｄ          ねじ穴
１０          ねじ（昇降調整部材）
１１          ねじ
１２          ねじ用座金
１３          ストッパ
１９ａ        折曲部
１９ｂ        先端部
１９ｃ        取付面
１９ｄ        ねじ穴
１９ｅ        平坦部
１９ｆ        平坦部
１９ｇ        側面
２３          棚板
２５          固定具
３１          ラック
３２          側枠
３２ａ        支柱
３２ｂ１      横桟
３３          棚板
４１          ラック
４２          側枠
４２ａ        支柱
４２ｂ１      横桟
４３          棚板
４５          固定具
４９          フック部
５１          ラック
５２          側枠
５２ａ        支柱
５２ｂ        横桟
５３          棚板
５５          固定具
５９          フック部
５９ａ        折曲部
５９ａ１      折曲部上面
５９ｂ        先端部
５９ｃ        取付面
５９ｅ        平坦部
５９ｆ        平坦部
５９ｇ        側面
５９ｈ        側面
５９ｉ        斜面
６９          フック部
６９ａ        折曲部
６９ｂ        先端部
６９ｃ        取付面
６９ｅ        平坦部
６９ｇ        側面
６９ｉ        斜面
【図１】
2004332771.tif 000003
【図２】
2004332771.tif 000004
【図３】
2004332771.tif 000005
【図４】
2004332771.tif 000006
【図５】
2004332771.tif 000007
【図６】
2004332771.tif 000008
【図７】
2004332771.tif 000009
【図８】
2004332771.tif 000010
【図９】
2004332771.tif 000011
【図１０】
2004332771.tif 000012